(57)【要約】      （修正有）【課題】非磁性材質の被係止物に非磁性材質の別の被係止物を取り付けることができる非磁性体用取付具を提供する。【解決手段】非磁性体用取付具１は、非磁性材質の立面パネルＰの一方の面に密着させる第１密着部材１２を介しＳ極とＮ極のいずれか一方の磁極性を有する第１面を対向させる第１永久磁石部１０と、立面パネルＰの他方の面に密着させる第２密着部材２２を介しＳ極とＮ極のいずれか他方の磁極性を有する第１面を対向させる第２永久磁石部２０とを備え、第１永久磁石部１０と第２永久磁石部２０とが立面パネルＰを挟んで第１面同士を対向近接して互いに磁力吸引することにより立面パネルＰを自己保持することにより移動不能になる構成され、第２永久磁石部２０で、被係止物Ｗを立面パネルＰとの間に挟んだ状態に係止する。【選択図】図１
2020195566.tif 000002
【特許請求の範囲】
【請求項１】
第１の取付面に対向する第１の面を有しＮ極及び／もしくはＳ極が特定の配置形態で配置されてなる第１の永久磁石が第１の摩擦係数を有する第１の被覆材で少なくとも前記第１の面を含む略全面に亘って被覆されてなる第１の永久磁石部と、
前記第１の取付面と略並行する第２の取付面に対向する第２の面を有しＳ極及び／もしくはＮ極が前記特定の配置形態とは逆磁性を持った配置形態で配置されてなる第２の永久磁石が第２の摩擦係数を有する第２の被覆材で少なくとも前記第２の面を含む略全面に亘って被覆されてなる第２の永久磁石部と
を備えたことを特徴とする非磁性体用取付具。
【請求項２】
前記第１の取付面は非磁性体である立面パネルの一方の面であり、前記第２の取付面は前記立面パネルの他方の面である、請求項１記載の非磁性体用取付具。
【請求項３】
前記第１の取付面は非磁性体である第１の立面パネルの一方の面であり、前記第２の取付面は前記第１の立面パネルと背合わせに配置される第２の立面パネルの他方の面である、請求項１記載の非磁性体用取付具。
【請求項４】
前記特定の配置形態は、前記第１の面側にＮ極が配置され、前記第２の面側にＳ極が配置されるものである、請求項１〜３のうちいずれか１項記載の非磁性体用取付具。
【請求項５】
前記特定の配置形態は、前記第１の永久磁石部の略上部側にＮ極、略下部側にＳ極が配置され、前記第２の永久磁石部の略上部側にＳ極、略下部側にＮ極が配置されるものである、請求項１〜３のうちいずれか１項記載の非磁性体用取付具。
【請求項６】
前記特定の配置形態は、前記第１の永久磁石部の少なくとも前記第１の面側においてＮ極、Ｓ極、Ｎ極、Ｓ極、…が一定間隔で配置され、前記第２の永久磁石部の少なくとも前記第２の面側の前記前記第１の面側Ｎ極、Ｓ極、Ｎ極、Ｓ極、…のそれぞれに対応する位置においてＳ極、Ｎ極、Ｓ極、Ｎ極、…が前記一定間隔で配置されるものである、請求項１〜３のうちいずれか１項記載の非磁性体用取付具。
【請求項７】
前記第１永久磁石部と前記第２永久磁石部とが前記第１の面及び前記第２の面を挟んで対向近接して互いに磁力吸引することにより自己保持することにより移動不能性を備え、
前記第１永久磁石部及び前記第２永久磁石部のいずれか一方または両方が、被係止物を前記第１の面及び／もしくは前記第２の面の前記磁力吸引側とは逆側に係止するための係止部をさらに備えることを特徴とする請求項１〜６のうちいずれか１項記載の非磁性体用取付具。
【請求項８】
前記第１の永久磁石部及び／もしくは前記第２の永久磁石部は、該永久磁石部に隣接して配置される磁束調整部を更に備え、
前記第１の被覆材及び／もしくは前記第２の被覆材は、前記永久磁石部及び前記磁束調整部の略全面を覆うものである
ことを特徴とする請求項１〜６のうちいずれか１項記載の非磁性体用取付具。
【請求項９】
前記第１の面を覆う前記第１の被覆材、及び／もしくは、前記第２の面を覆う前記第２の被覆材が、それぞれの取付面に密着して真空吸着する吸盤部を形成する
ことを特徴とする請求項１〜８のうちいずれか１項記載の非磁性体用取付具。
【請求項１０】
前記係止部は、係止ねじを有し、前記係止ねじで前記被係止物を前記係止部が付設された前記第１永久磁石部または前記第２永久磁石部に係止する
ことを特徴とする請求項７記載の非磁性体用取付具。
【請求項１１】
前記第１永久磁石部及び／もしくは前記第２永久磁石部に付設される係止部は、前記被係止物を吊り下げるフックまたはクランプである
ことを特徴とする請求項７記載の非磁性体用取付具。
【請求項１２】
前記第１永久磁石部には貫通孔が設けられ、
前記第１の被覆材は前記貫通孔の内部は被覆しないことを特徴とする請求項１記載の非磁性体用取り付け具。
【請求項１３】
前記第１の永久磁石部の前記第１面と対向する面側に前記貫通孔に挿入されるべき結合材の突出部を収容する窪みを有し、
前記第１の被覆材は前記窪みを被覆する
ことを特徴とする請求項１２記載の非磁性体用取り付け具。
【請求項１４】
前記第１の被膜部及び／もしくは前記第２の被覆部の一部が突出して真空吸着構造を形成することを特徴とする請求項１〜１３のうちいずれか１項記載の非磁性体用取り付け具。
【請求項１５】
前記真空吸着構造は前記第１の永久磁石部及び／もしくは前記第２の永久磁石部の外辺に広く突出している構造であることを特徴とする請求項１４記載の非磁性体用取り付け具。
【発明の詳細な説明】
【技術分野】
【０００１】
本発明は非磁性体用取付具に係り、特にたとえば非磁性材質の立面パネルに非磁性材質の被係止物を取り付けるための非磁性体用取付具に関する。
【背景技術】
【０００２】
例えば、ガラス窓、樹脂板扉、水槽、ショーウインドなど非磁性材質の立面パネルに、例えば、ガラス、アクリル、木材などの非磁性材質の被係止物を取り付ける場合、永久磁石の使用ができず、接着、ネジ固定、吸盤のような固定具が使用されている。
【先行技術文献】
【特許文献】
【０００３】
【特許文献１】特開２０１７−２０９２２７号公報
【特許文献２】特許第６４７５３８１号公報
【発明の概要】
【発明が解決しようとする課題】
【０００４】
非磁性材質の立面パネルに、非磁性材質の被係止物をたとえば非瞬間接着剤を用いて接着する場合、接着剤が乾燥するまで両者を固定するクリップの様な挟み付け具が用いられることが多い。しかし、例えば、非磁性材質の立面パネルの中程に非磁性材質の被係止物を取り付ける場合にはクリップによる固定は難しい。取り付け位置を変更する場合には接着剤の跡が残ってしまうという問題がある。
【０００５】
ネジ固定を用いて非磁性材質の立面パネルに非磁性材質の被係止物を取り付ける場合、取り付け位置を簡単に変えることができず、位置を変更した場合にはネジ穴が残ってしまうという問題がある。
【０００６】
吸盤を用いて非磁性材質の立面パネルに非磁性材質の被係止物を取り付ける場合、立面パネルが平坦で滑らかでなければならないとともに、構造的に吸盤内部の真空状態を長く保持することが必要であり、恒久的な取り付けは期待できない。
【０００７】
本発明は、上述した点に鑑み案出されたもので、非磁性材質の被係止物に非磁性材質の別の被係止物を取り付けるに際し、接着剤やネジ止め、クリップなど挟み具を用いずに取り付けが実現できる非磁性体用取付具を提供することを目的とする。本発明の別の目的は、両面粘着テープや接着剤、ネジ固定を用いて取り付けを行うときにも適用できてしかも取り付け位置を容易に変更でき、取り付け跡が残ることがない非磁性体用取付具を提供することである。
【課題を解決するための手段】
【０００８】
上記課題を解決するため、本発明の第１の態様に係る非磁性体用取付具は、第１の取付面に対向する第１の面を有しＮ極及び／もしくはＳ極が特定の配置形態で配置されてなる第１の永久磁石が第１の摩擦係数を有する第１の被覆材で少なくとも前記第１の面を含む略全面に亘って被覆されてなる第１の永久磁石部と、前記第１の取付面と略並行する第２の取付面に対向する第２の面を有しＳ極及び／もしくはＮ極が前記特定の配置形態とは逆磁性を持った配置形態で配置されてなる第２の永久磁石が第２の摩擦係数を有する第２の被覆材で少なくとも前記第２の面を含む略全面に亘って被覆されてなる第２の永久磁石部とを備えたことを特徴とする。
【０００９】
すなわち、たとえば摩擦係数が大きい第１密着部材を有し、非磁性材質の立面パネルの一方の面に密着させる前記第１密着部材を介しＳ極とＮ極のいずれか一方の磁極性を有する第１面を対向させる第１永久磁石部と、摩擦係数が大きい第２密着部材を有し、前記立面パネルの他方の面に密着させる前記第２密着部材を介しＳ極とＮ極のいずれか他方の磁極性を有する第１面を対向させる第２永久磁石部とを備え、前記第１永久磁石部と前記第２永久磁石部とが前記立面パネルを挟んで前記第１面同士を対向近接して互いに磁力吸引することにより前記立面パネルを自己保持することにより移動不能になるように構成することができる。このとき、前記第１永久磁石部と前記第２永久磁石部のいずれか一方または両方で、前記被係止物を前記立面パネルとの間に挟んだ状態に係止するようになっているか、または、前記第１永久磁石部と前記第２永久磁石部のいずれか一方または両方で、前記第１永久磁石部または前記第２永久磁石部に付設される係止部により前記被係止物を係止するようになっていてもよい。
【００１０】
本発明の第２の態様に係る非磁性体用取付具として、本発明の第１の態様に係る非磁性体用取付具において、前記第１の取付面は非磁性体である立面パネルの一方の面であり、前記第２の取付面は前記立面パネルの他方の面である構成としてもよい。
【００１１】
本発明の第３の態様に係る非磁性体用取付具として、本発明の第１の態様に係る非磁性体用取付具において、前記第１の取付面は非磁性体である第１の立面パネルの一方の面であり、前記第２の取付面は前記第１の立面パネルと背合わせに配置される第２の立面パネルの他方の面である構成としてもよい。
【００１２】
本発明の第４の態様に係る非磁性体用取付具として、本発明の第１〜第３の態様に係る非磁性体用取付具において、前記特定の配置形態は、前記第１の面側にＮ極が配置され、前記第２の面側にＳ極が配置されるものである構成としてもよい。
【００１３】
本発明の第５の態様に係る非磁性体用取付具として、本発明の第１〜第３の態様に係る非磁性体用取付具において、前記特定の配置形態は、前記第１の永久磁石部の略上部側にＮ極、略下部側にＳ極が配置され、前記第２の永久磁石部の略上部側にＳ極、略下部側にＮ極が配置されるものである構成としてもよい。
【００１４】
本発明の第６の態様に係る非磁性体用取付具として、本発明の第１〜第３の態様に係る非磁性体用取付具において、前記特定の配置形態は、前記第１の永久磁石部の少なくとも前記第１の面側においてＮ極、Ｓ極、Ｎ極、Ｓ極、…が一定間隔で配置され、前記第２の永久磁石部の少なくとも前記第２の面側の前記前記第１の面側Ｎ極、Ｓ極、Ｎ極、Ｓ極、…のそれぞれに対応する位置においてＳ極、Ｎ極、Ｓ極、Ｎ極、…が前記一定間隔で配置されるものである構成としてもよい。
【００１５】
本発明の第７の態様に係る非磁性体用取付具として、本発明の第１〜第６の態様に係る非磁性体用取付具において、前記第１永久磁石部と前記第２永久磁石部とが前記第１の面及び前記第２の面を挟んで対向近接して互いに磁力吸引することにより自己保持することにより移動不能性を備え、前記第１永久磁石部及び前記第２永久磁石部のいずれか一方または両方が、被係止物を前記第１の面及び／もしくは前記第２の面の前記磁力吸引側とは逆側に係止するための係止部をさらに備える構成としてもよい。
【００１６】
本発明の第８の態様に係る非磁性体用取付具として、本発明の第１〜第６の態様に係る非磁性体用取付具において、前記第１の永久磁石部及び／もしくは前記第２の永久磁石部は、該永久磁石部に隣接して配置される磁束調整部を更に備え、前記第１の被覆材及び／もしくは前記第２の被覆材は、前記永久磁石部及び前記磁束調整部の略全面を覆うものである構成としてもよい。
【００１７】
本発明の第９の態様に係る非磁性体用取付具として、本発明の第１〜第８の態様に係る非磁性体用取付具において、前記第１の面を覆う前記第１の被覆材、及び／もしくは、前記第２の面を覆う前記第２の被覆材が、それぞれの取付面に密着して真空吸着する吸盤部を形成する構成としてもよい。
【００１８】
本発明の第１０の態様に係る非磁性体用取付具として、本発明の第７の態様に係る非磁性体用取付具において、前記係止部は、係止ねじを有し、前記係止ねじで前記被係止物を前記係止部が付設された前記第１永久磁石部または前記第２永久磁石部に係止する構成としてもよい。
【００１９】
本発明の第１１の態様に係る非磁性体用取付具として、本発明の第７の態様に係る非磁性体用取付具において、前記第１永久磁石部及び／もしくは前記第２永久磁石部に付設される係止部は、前記被係止物を吊り下げるフックまたはクランプである構成としてもよい。
【００２０】
本発明の第１２の態様に係る非磁性体用取付具として、本発明の第１の態様に係る非磁性体用取付具において、前記第１永久磁石部には貫通孔が設けられ、前記第１の被覆材は前記貫通孔の内部は被覆しない構成としてもよい。
【００２１】
本発明の第１３の態様に係る非磁性体用取付具として、本発明の第１２の態様に係る非磁性体用取付具において、前記第１の永久磁石部の前記第１面と対向する面側に前記貫通孔に挿入されるべき結合材の突出部を収容する窪みを有し、前記第１の被覆材は前記窪みを被覆する構成としてもよい。
【００２２】
本発明の第１４の態様に係る非磁性体用取付具として、本発明の第１〜第１３の態様に係る非磁性体用取付具において、前記第１の被膜部及び／もしくは前記第２の被覆部の一部が突出して真空吸着構造を形成する構成としてもよい。
【００２３】
本発明の第１５の態様に係る非磁性体用取付具として、本発明の第１４の態様に係る非磁性体用取付具において、前記真空吸着構造は前記第１の永久磁石部及び／もしくは前記第２の永久磁石部の外辺に広く突出している構造である構成としてもよい。
【００２４】
本発明の態様に係る非磁性体用取付具によれば、第１永久磁石部と第２永久磁石部のいずれか一方で、被係止物をたとえば立面パネルとの間に挟んだ状態に係止するようになっている構成である場合に、第１永久磁石部と第２永久磁石部とのいずれか他方が有している第１密着部材または第２密着部材の周辺部が、立面パネル側に張り出し立面パネルに密着して真空吸着する吸盤部とし、これにより、落下防止性能を強固にできる。
【００２５】
また、本発明の態様に係る非磁性体用取付具によれば、係止部により被係止物を係止するようになっている構成である場合に、第１永久磁石部と第２永久磁石部との少なくとも一方の周辺部が、たとえば立面パネル側に張り出し該立面パネルに密着して真空吸着する吸盤部となっていることで、たとえば水槽、ショッピングウィンドウ等において、あたかも取付具がない状態で被係止物が係止されているという見た目に劇的な効果を生み出すこともでき、これにより集客性の増強が期待できる。
【００２６】
さらに、本発明の態様に係る非磁性体用取付具によれば、係止部により被係止物を係止するようになっている構成である場合に、係止部が係止ねじを有し、この係止ねじで被係止物を前記係止部が付設された第１永久磁石部または第２永久磁石部に係止することで、係止部がより外れにくい構造とすることができる。
【００２７】
さらに、本発明の態様に係る非磁性体用取付具によれば、第１永久磁石部または第２永久磁石部に付設される係止部が被係止物を吊り下げるフックまたはクランプであるようにすることで、被係止物の係止性もしくは楊重性を確保することができる。
【発明の効果】
【００２８】
本発明によれば、非磁性材質の被係止物に非磁性材質の別の被係止物を取り付けるに際し、接着剤やネジ止め、クリップなど挟み具を用いずに取り付けが実現できるとともに、両面粘着テープや接着剤、ネジ固定を用いて取り付けを行うときにも適用できてしかも取り付け位置を容易に変更でき、取り付け跡が残ることがない非磁性体用取付具を提供することができる。
【図面の簡単な説明】
【００２９】
【図１】本発明の第１の実施の形態に係る非磁性体用取付具の縦断面図である。
【図２】本発明の第１の実施形態の非磁性体用取付具の一適用例に係り、図２（ａ）は斜視図、図２（ｂ）は概略縦断面図である。
【図２Ａ】本発明の第１の実施形態のうち、着磁方向の第１の態様として永久磁石のＮ、Ｓ着磁方向を厚み方向とする場合を説明するための概念的斜視図である。
【図２Ｂ】本発明の第１の実施形態のうち、着磁方向の第２の態様として永久磁石のＮ、Ｓ着磁方向を径方向の２磁極とする場合を説明するための概念的斜視図である。
【図２Ｃ】本発明の第１の実施形態のうち、着磁方向の第３の態様として永久磁石のＮ、Ｓ着磁方向を複数の磁極配置にする場合を説明するための概念的斜視図である。
【図３】本発明の第１の実施形態の非磁性体用取付具の他の適用例に係り、図３（ａ）は斜視図、図３（ｂ）は概略縦断面図である。
【図４Ａ】本発明の第１の実施形態の別の変形例に係る非磁性体用取り付け具４０の外観斜視図である。
【図４Ｂ】本発明の第１の実施形態の別の変形例に係る非磁性体用取り付け具４０の構造を示す断面図である。
【図４Ｃ】本発明の第１の実施形態の別の変形例に係る非磁性体用取り付け具４０の被取付面との取り合いの構造を示す断面図である。
【図４Ｄ】本発明の第１の実施形態の別の変形例に係る非磁性体用取り付け具４０の被取付面との取り合いの構造についての別の態様を示す断面図である。
【図４Ｅ】本発明の第２の実施の形態に係る非磁性体用取付具の縦断面図である。
【図５】本発明の第２の実施形態の非磁性体用取付具の一適用例に係る斜視図である。
【図６】本発明の第２の実施の形態の変形例を表す図であり、（ａ）はその斜視図、（ｂ）はその断面図、（ｃ）は非磁性体製品への取付方法を示すための断面図、（ｄ）は実際の応用例を示すための断面図である。
【図６Ａ】本発明の第２の実施形態の非磁性体用取付具の第１永久磁石部の変形例に係り、図６（ａ）は第１の変形例の断面図、図６（ｂ）は第２の変形例の断面図である。
【図６Ｂ】本発明の第２の実施の形態のさらなる変形例を表す図であり、（ａ）はその斜視図、（ｂ）はその断面図、（ｃ）は非磁性体製品への取付方法を示すための断面図、（ｄ）は実際の応用例を示すための断面図である。
【図７】本発明の第３の実施の形態に係る非磁性体用取付具の縦断面図である。
【図８】本発明の第４の実施の形態に係る非磁性体用取付具の縦断面図である。
【図９】本発明の第５の実施の形態に係る非磁性体用取付具の縦断面図である。
【発明を実施するための形態】
【００３０】
以下、図面を参照して、本発明の一実施形態に係る非磁性体用取付具について説明する。
【００３１】
（第１の実施の形態）
本発明の第１の実施の形態に係る非磁性体用取付具の縦断面図である。図１に示すように、第１の実施の形態の非磁性体用取付具１は、第１磁石本体１１を摩擦係数が大きい第１密着部材１２で被覆した第１永久磁石部１０と、第２磁石本体２１を摩擦係数が大きい第２密着部材２２で被覆した第２永久磁石部２０とを有し、第１永久磁石部１０と第２永久磁石部２０とが非磁性材質の立面パネルＰを挟んで第１面１１ａ、２１ａ同士を対向近接して非磁性材質の被係止物Ｗを立面パネルＰとの間に挟んだ状態に係止するようになっている。なお、第１磁石本体１１及び第２磁石本体２１は、ネオジム磁石、フェライト磁石、アルニコ磁石、サマリウムコバルト磁石などのいずれであっても良いが、ネオジム磁石が最も好適である。
【００３２】
詳述すると、第１永久磁石部１０は、Ｓ極とＮ極のいずれか一方の磁極性を有する第１面１１ａを立面パネルＰの一方の面に対向させ、第１面１１ａに被さる摩擦係数が大きい第１密着部材１２を介し立面パネルＰの一方の面に密着させる。同様に、第２永久磁石部２０は、Ｓ極とＮ極のいずれか他方の磁極性を有する第１面２１ａを立面パネルＰの他面側で第１永久磁石部１０に対向させ、第１面２１ａに被さる摩擦係数が大きい第２密着部材２２を介し立面パネルＰの他方の面に密着させる。これにより、第１永久磁石部１０と第２永久磁石部２０は、互いに磁力吸引して立面パネルＰを移動不能に自己保持する。第１永久磁石部１０は、第１密着部材１２が摩擦係数が大きいので立面パネルＰに対する重力作用と滑りによるずれ落ちを防止でき、また第２永久磁石部２０は、第１永久磁石部１０との対向位置にずれが生じることがなく、第２密着部材２２が摩擦係数が大きいので被係止物Ｗに対し良好に密着保持ができる。
【００３３】
非磁性材質の立面パネルＰとは、ガラス窓、樹脂板立面パネル、水槽の側面部、ショーウインド、ステンレス立面パネルなどである。非磁性材質の被係止物Ｗとは、ガラス製、アクリル製、木材製、紙製、繊維製などの平面的または立体的な各種製品である。第１密着部材１２と第２密着部材２２は、摩擦係数が大きい材料、好ましくは更に軟質性を有する材料が選択され、具体的にはシリコンゴムが選択される。
【００３４】
第１密着部材１２および第２密着部材２２は、第１永久磁石部１０または第２永久磁石部２０に対する被覆部材であり、永久磁石本体が立面パネルＰと誤って衝突してしまったときに、永久磁石本体および／または立面パネルＰが衝撃で割れたり、永久磁石本体に錆びを生じたりすることを回避する役目を有する。第１密着部材１２と第２密着部材２２は、図１ではそれぞれ第１磁石本体１１または第２磁石本体２１の全体を被覆しているが、少なくとも第１面１１ａまたは第１面２１ａをそれぞれ被覆していればよい。なお、被係止物Ｗは、第２永久磁石部２０が宛がわれる部位に第２永久磁石部２０よりもわずかに大きい凹部を設けか、または、第２永久磁石部２０の第１面２１ａに両面粘着テープを貼着するのが好ましい。
【００３５】
第１永久磁石部１０と第２永久磁石部２０について、それぞれ第１面１１ａまたは第１面２１ａから視た形状は、円筒形、方形、多角形等の適宜形状とすることができる。
【００３６】
図２は、その上図：概念的斜視図、その下図：概念的断面図、に示されるように、たとえば非磁性材質の立面パネルＰとしてガラス製ショーウインド３１が示され、非磁性材質の被係止物Ｗとして複数枚のパンフレットを収納する上面が開放した直方体状のパンフレット収納ボックス３２が備えられて構成されている。
【００３７】
第１永久磁石部１０と第２永久磁石部２０の同時取り付けは一人ではできない。そこで、先に、ガラス製ショーウインド３１の内面部（立面パネルＰの一方の面部）に第１永久磁石部１０を両面接着剤（不図示）を介して宛がわれ、次いで、ガラス製ショーウインド３１の外面部（立面パネルＰの他方の面部）にパンフレット収納ボックス３２が重ねられ、かつパンフレット収納ボックス３２の立面パネルＰに重なる側の内側面部に第２永久磁石部２０が第１永久磁石部１０と対向するように宛がわれ、もって、第１永久磁石部１０と第２永久磁石部２０が互いに磁力吸引してガラス製ショーウインド３１（立面パネルＰ）を自己保持することにより移動不能になり、第２永久磁石部２０がパンフレット収納ボックス３２がガラス製ショーウインド３１との間にパンフレット収納ボックス３２を挟んだ状態に係止する。この場合、第１永久磁石部１０は、ガラス製ショーウインド３１に当接するが、軟質性材料製の第１密着部材１２で被覆されているので、ガラス製ショーウインド３１に滑らないように密着しかつガラス製ショーウインド３１を傷つける恐れがない。
【００３８】
なお、図２Ａは、着磁方向の第１の態様として永久磁石２１のＮ、Ｓ着磁方向を厚み方向とする場合、図２Ｂは、着磁方向の第２の態様として永久磁石２１のＮ、Ｓ着磁方向を径方向の２磁極とする場合、図２Ｃは、着磁方向の第３の態様として永久磁石２１のＮ、Ｓ着磁方向を複数の磁極配置にする場合、をそれぞれ示す概念的斜視図である。本発明の第１の実施形態に係る非磁性体用取り付け具の構造の態様として、これら第１〜第３のいずれの態様もとることが可能であるが、非磁性体を挟み込む２つの永久磁石２１の着磁の互いの位置配置は同じで逆磁極のものを用いる。なお、着磁の方向は、これら第１〜第３の態様に限定されるものではなく、これらの組合せを含むあらゆる形態の着磁配置であっても本願の技術思想に包摂される。
【００３９】
図３（ａ）、（ｂ）は、ガラス製または透明プラスチック製の水槽３３と、水槽３３の観賞側の側面部内面（立面パネルＰ）に係止された被係止物Ｗとしての観賞魚用餌箱３４が示されている。詳述すると、観賞魚用餌箱３４の内側面部中央位置に第１永久磁石部１０の第１面を宛がい水槽３３の側面部内面（立面パネルＰ）に重ねるとともに、水槽３３の側面部外面に第２永久磁石部２０の第１面を宛がい、もって対向する第１永久磁石部１０と第２永久磁石部２０とが互いに磁力吸引し水槽側面部を自己保持することにより移動不能になり、観賞魚用餌箱が水槽側面部に係止されている。そして、軟質性材料製の第２密着部材２２で被覆されている第２永久磁石部２０が観賞魚用餌箱に当接するので、第２密着部材２２で観賞魚用餌箱が傷つく恐れがない。
【００４０】
（第１の実施の形態の変形例）
第１の実施の形態の非磁性体用取付具１では、被係止物Ｗを立面パネルＰの片側に係止することを示したが、立面パネルＰの両側に被係止物Ｗを係止することもできる。すなわち、図示しないが、第１永久磁石部１０が立面パネルＰとの間に被係止物Ｗを挟んだ状態に係止するとともに、第２永久磁石部２０が立面パネルＰとの間に被係止物Ｗを挟んだ状態に係止することができる。
【００４１】
（第１の実施の形態の別の変形例）
【００４２】
図４Ａは、本発明の第１の実施形態に係る非磁性体用取り付け具４０の外観斜視図であり、図４Ｂは、本発明の第１の実施形態に係る非磁性体用取り付け具４０の構造を示す断面図であり、図４Ｃは、本発明の第１の実施形態に係る非磁性体用取り付け具４０の被取付面との取り合いの構造を示す断面図である。図４Ｂに示されるように、本発明の第１の実施形態においては、上述した第１の実施形態における取付面について、その周囲の被膜外周部を一様長さに突出させた突出部４３を形成する。かくのごとく構成することにより本発明の第１の実施形態に係る取り付け具を非磁性体の平坦部４４に押し付けると（図４Ｃ）、上述した突出部４３が押し曲げられ、中央部４５が真空状態となり、第１の実施形態に係る取り付け具４０は、吸盤の様に非磁性体の平坦部４４に真空吸着する。
【００４３】
図４Ｄは、本発明の第１の実施形態に係る非磁性体用取り付け具４０の上記とは別の態様として、真空吸着力を増加させるために、被膜外周の突出部を更に広げた形状を有する拡幅突出部４６として真空吸着部の体積を広げた応用例を示す断面図である。かくのごとく、真空吸着部分の形状、構造は各種のバリエーションが考えられるが、それらは全て本発明の発明思想に含まれるものである。
【００４４】
また、図４Ｃのごとく真空吸着力を増大させると、取付位置を変更する場合に剥がれにくくなる場合がある。この場合には、図４Ｄで示したように、広げて形状の拡幅突出部４６の少なくとも一部に突起４７を設けるようにしてもよい。このような構造を採用した場合、利用者は、この突起を指先でまくり上げることにより真空部分を開放して剥がすことができる。
【００４５】
（第２の実施の形態）
図４Ｅに示すように、第２の実施の形態の非磁性体用取付具１Ａは、第１永久磁石部１０Ａと第２永久磁石部２０Ａとが立面パネルＰを挟んで第１面１１ａ、２１ａ同士を対向近接して互いに磁力吸引することにより立面パネルＰに対し移動不能に挟持して、第２永久磁石部２０で被係止物Ｗを立面パネルＰとの間に挟んだ状態に係止するようになっている。第２永久磁石部２０Ａが第２磁石本体２１Ａと第２密着部材２２Ａとからなる構成は、第１の実施の形態の第２永久磁石部２０の場合と同一構造である。
【００４６】
第２の実施の形態では、第１永久磁石部１０Ａが吸盤部１３を備えていることが、第１の実施の形態の第１永久磁石部１０と相違している。吸盤部１３は、第１永久磁石本体１１Ａの第１面１１ａの外周部に対応する第１密着部材１２Ａの一端周辺部が、第１面１１ａより立面パネルＰ側に一体に張り出し立面パネルＰに密着し押し付けられて密封空間を縮小することにより真空吸着するようになっている。
【００４７】
第１密着部材１２Ａは、耐熱性、耐候性、耐久性があり、腰が強い弾力性がある例えばシリコンゴムなどよりなる成形体である。吸盤部１３は第１密着部材１２Ａと一体に設けられている。吸盤部１３は、肉厚が張出端に向かって漸次に小さくなって張出端が尖っている円錐形である。第１密着部材１２Ａは、第１永久磁石本体１１Ａの全体を被覆している必要はなく、第１永久磁石本体１１Ａの第１面１１ａを少なくとも被覆し、かつ吸盤部１３を立面パネルＰから離脱させる際に、第１永久磁石本体１１Ａから離脱不能に設けられていれば足りる。
【００４８】
第１永久磁石部１０Ａは、把持し易いように第１面１１ａと反対側の面に把手１４が付設されている。把手１４は、把持し易い役目の他に、第１永久磁石部１０Ａと第２永久磁石部２０Ａとが立面パネルＰを間に挟んで磁気吸引した状態から第１永久磁石部１０Ａを引き離す力を加え易い役目も果たす。把手１４は、第１永久磁石部１０Ａの第１面１１ａの中央より反対面側まで貫通されたボルト通し孔１５ａおよび第１面１１ａに設けられた浅い円形凹部１５ｂに対し、固定ねじ１６を第１面１１ａの側から通して把手１４に螺設されたねじ穴に固くねじ込むことで第１永久磁石部１０Ａの第１面１１ａと反対側の面に付設されている。なお、把手１４の第１永久磁石部１０Ａに対する連結は、これに限定されず、例えば第１永久磁石部１０Ａにはねじ穴を設けるとともに、把手１４には雄ねじをモールドして、この雄ねじをねじ穴にねじ込むようにしてもよい。
【００４９】
図５は、建物内の仕切り壁に設けられた引き戸ガラス３５（立面パネルＰ）と、引き戸ガラス３５に係止される被係止物Ｗとしてのプラスチック製の軽量小型の植木鉢３６とが示されている。図５では、第１永久磁石部１０Ａと第２永久磁石部２０Ａの同時取り付けは一人ではできない。すなわち、事前に第２永久磁石部２０Ａが植木鉢３６の内面に両面粘着剤を介して取り付けられ、作業者Ｍが片手で植木鉢３６を掴み引き戸ガラス３５の外面の２点鎖線で示す位置３７に位置すると同時に、他方の手で第１永久磁石部１０Ａを引き戸ガラス３５の内面の２点鎖線で示す位置３７に対向して位置させることは距離的にできない。しかし、第２の実施の形態の非磁性体用取付具１Ａは、第１永久磁石部１０Ａが吸盤部１３を有する構成であるので、先に、第１永久磁石部１０Ａを引き戸ガラス３５の内面の２点鎖線で示す位置３７に吸着係止させることができ、後から、第２永久磁石部２０Ａを内面に貼着した植木鉢３６を引き戸ガラス３５の外面の２点鎖線で示す位置３７に密着させるよう位置させる。これにより、第１永久磁石部１０Ａと第２永久磁石部２０Ａは、互いに磁力吸引して移動不能に自己保持し、かつ第２永久磁石部２０Ａが植木鉢３６を引き戸ガラス３５の外面に係止することができる。植木鉢３６の取り外しは、吸盤部１３で引き戸ガラス３５に吸着している第１密着部材１２Ａよりも先に行うことができる。
【００５０】
換言すると、取り付け者は、窓ガラスを挟んで一方の手にパンフレット入れを持ち、他方の手に本実施形態に係る非磁性体用取り付け具を持ち、望みの位置に両者を磁気吸着させる。しかし、手が届く位置に付ける場合には、たとえば本発明の第１の実施形態に係る非磁性体用取り付け具を両手に持って取り付けることができる。しかし、手が届かない位置に取り付ける場合には、窓の両側に人を配置し、それぞれたとえば非磁性体用取り付け具を持ち、位置を合わせて取り付ける必要がある（図示しない）。この場合に、さらに別の態様として、図５のガラス窓の位置の一方側にたとえば本発明の実施態様に係る非磁性体用取り付け具（図４Ｂ等）を吸着仮付けし、ガラス窓の反対側に回ってパンフレット入れをこれに対向する位置に磁気吸着するとすれば、たった一人であっても取付動作をスムーズに完了することができる。このように、本発明の実施態様に係る非磁性体用取り付け具は、図５に示した場合のように、非磁性他材質同士の取り付け時の一方の仮止めに大変便利である。この場合、さらに、ガラス窓の一方側と反対側との双方に非磁性体用取り付け具を用いて吸着仮止め状態にしておけばさらに作業効率は向上する。
【００５１】
（第２の実施の形態の変形例）
【００５２】
図６は、本発明の第２の実施の形態の変形例を表す図であり、（ａ）はその斜視図、（ｂ）はその断面図、（ｃ）は非磁性体製品への取付方法を示すための断面図、（ｄ）は実際の応用例を示すための断面図である。本発明の第２の実施の形態の変形例としては、円形の永久磁石６２は中心に貫通孔６４と、ネジ頭を突出しないよう収容する窪み６５による取付け部があり、永久磁石６２全体がシリコンゴムのような摩擦係数の大なる素材６３にて被膜されている。（ｃ）に非磁性体製品への取付方法として示されるように、非磁性体製品にネジ穴が穿設され、ネジ６７とナット６８による結合材によって非磁性体に取り付けられる。（ｄ）に実際の応用例として、図２で示されたように、ショーウインド６９にパンフレット入れ７０を取り付けた場合が断面図が示されている。パンフレット入れ、ショーウインド６９の裏側に上述した各実施態様に係る非磁性体取付具３，６２が用いられている。
【００５３】
この点をより詳細に説明する。図６Ａは、本発明の第２の実施形態の非磁性体用取付具の第１永久磁石部の変形例に係り、（ａ）は第１の変形例の断面図、（ｂ）は第２の変形例の断面図である。同図に示すように、第２の実施の形態の非磁性体用取付具１Ａでは、第１永久磁石部１０Ａの吸盤部１３が円錐面の傾斜方向の長さが比較的長いラッパ状に形成されているが、図６（ａ）に示すように、第１永久磁石部１０Ａ２の第１面１１ａより短く垂直に延びてかつ内周面が円錐面である吸盤部１３Ａ１を有していても良い。また、図６（ｂ）に示すように、第１永久磁石部１０Ａ３の第１面１１ａの外周部および円形凹部１５ｂの周縁部よりそれぞれ同じ寸法だけ短く垂直に延びる同心二重環状の吸盤部１３Ａ２、１３Ａ３を有していても良い。
【００５４】
次に、本発明の第２の実施の形態のさらなる変形例として、上述した実施態様同士を組み合わせた形態について説明する。図６Ｂは、本発明の第２の実施の形態のさらなる変形例を表す図であり、（ａ）はその斜視図、（ｂ）はその断面図、（ｃ）は非磁性体製品への取付方法を示すための断面図、（ｄ）は実際の応用例を示すための断面図である。本態様においては、取付面の永久磁石周囲の被膜外周部を一様長さに突起させ、同様に窪みの周辺部を外周部と略同じ高さに突起させる。かくのごとく構成することにより本発明の取り付け具を図６Ｂ（ｃ）のように非磁性体の平坦部に押し付けると、外周部の突起と窪みの周辺部の突起との間が真空状態となり、非磁性体の平坦部の平坦部に真空吸着する。
【００５５】
図６Ｂ（ｄ）に示されるのは、取付け部を介して把手をネジ止めして構成した例である。把手は、被膜外周部と密着するため、取付け部部分の気密性は保たれる。このため、上記と同様に被膜外周部を広げた形状とするだけで真空吸着力を増大させることができる。図６Ｂ（ｄ）の例では把手を取り付けた場合を示したが、フックのような懸架具を取り付けても良いのは自明である。
【００５６】
以上の説明では、円筒形磁石を例にして説明をしたが、円筒形に限ることはなく方形、多角形等限定されることはない。また、磁石全体を被膜する例を示したが、磁石に磁束漏れを防ぐヨークを附した場合は磁石とヨーク全体を被膜することは自明である。さらに、上記実施態様の真空吸着部分や、別の実施態様の取り付け部の構成は種々の方法が考えられるが、同様な機能を果たす構成は全て本発明の発明思想に含まれるものである。
【００５７】
（第３の実施の形態）
図７に示すように、第３の実施の形態の非磁性体用取付具１Ｂは、第１永久磁石部１０Ｂと第２永久磁石部２０Ｂとが立面パネルＰを挟んで第１面１１ａ、２１ａ同士を対向近接して互いに磁力吸引することにより立面パネルＰに対し移動不能に挟持して、第２永久磁石部２０Ｂで被係止物Ｗを立面パネルＰとの間に挟んだ状態に係止するようになっている。
【００５８】
第３の実施の形態では、第１永久磁石部１０Ｂが吸盤部１３Ｂを備えていること、および第１永久磁石部１０Ｂが第１永久磁石本体１１Ｂの第１面１１ａと第１密着部材１２Ｂとの間に第１磁石用磁束調整部（ヨーク）１７Ｂを備えているとともに、第２永久磁石部２０Ｂが第１永久磁石本体１１Ｂの第１面１１ａと第１密着部材１２Ｂとの間に第２磁石用磁束調整部（ヨーク）２７Ｂを備えていることが、第１の実施の形態の第１永久磁石部１０および第２永久磁石部２０と相違している。第１磁石用磁束調整部１７Ｂと第２磁石用磁束調整部２７Ｂは、例えば鉄などの強磁性体である。第１永久磁石部１０Ｂおよび第２永久磁石部２０Ｂは、第１磁石用磁束調整部１７Ｂと第２磁石用磁束調整部２７Ｂを備えていることで互いの磁力吸引が一層大きくなる。第３の実施の形態において、第１永久磁石部１０Ｂが吸盤部１３Ｂおよび把手１４Ｂを備えていることは、第２の実施の形態と同様である。第１永久磁石部１０Ｂと把手１４Ｂとは固定ねじ１６Ｂで連結されている。
【００５９】
第３の実施の形態では、第１永久磁石部１０Ｂの磁束を多く集めて強い磁力を有する第１磁石用磁束調整部１７Ｂと、第２永久磁石部２０Ｂの磁束を多く集めて強い磁力を有する第２磁石用磁束調整部２７Ｂとが、第１および第２の実施の形態の場合における磁力吸引に比べてより大きい磁力吸引することにより立面パネルＰに対し移動不能に挟持して、第２永久磁石部２０Ｂで被係止物Ｗを立面パネルＰとの間に挟んだ状態に係止するようになっている。このため、重量が第１および第２の実施の形態の場合に比べてより大きい被係止物Ｗを係止できる。
【００６０】
（第４の実施の形態）
図８に示すように、第４の実施の形態の非磁性体用取付具１Ｃは、第１永久磁石部１０Ｃと第２永久磁石部２０Ｃとが立面パネルＰを挟んで第１面１１ａ、２１ａ同士を対向近接して互いに磁力吸引することにより立面パネルＰを自己保持することにより移動不能になり、第２永久磁石部２０に付設される係止部１８により被係止物Ｗを係止するようになっている。被係止物Ｗは、第２永久磁石部２０と立面パネルＰに挟まれていない。
【００６１】
第４の実施の形態の係止部１８は、ボルト１８ａとナット１８ｂを含むねじ締結具であり、ボルト１８ａを第２永久磁石部２０に設けられたボルト通し孔１９に第１面２１ａの側から通しさらに被係止物Ｗに設けられたボルト通し孔に通し、ナット１８ｂを締め付けてなる。なお、ねじ締結具は、これに限定されない。例えば、ボルトを被係止物Ｗに設けられたボルト通し孔に通しさらに第２永久磁石部２０Ｃに設けられたねじ穴にねじ込むことで、被係止物Ｗを立面パネルＰに係止することができる。
【００６２】
第４の実施の形態において、第１永久磁石部１０Ｃが、第１永久磁石本体１１Ｃと第１密着部材１２Ｃと第１磁石用磁束調整部１７Ｃとを含んで構成され、また第２永久磁石部２０Ｃが、第２永久磁石本体２１Ｃと第２密着部材２２Ｃと第２磁石用磁束調整部２７Ｃとを含んで構成されている点は、第３の実施の形態と同一構造である。
【００６３】
（第４の実施の形態の変形例）
第４の実施の形態の係止部１８は、ねじの締結具に替えて、被係止物Ｗを吊り下げるフックまたは被係止物Ｗを吊り下げるクランプであってもよい図示しないが、
【００６４】
（第５の実施の形態）
図９に示すように、第５の実施の形態の非磁性体用取付具１Ｄは、第１永久磁石部１０Ｄと第２永久磁石部２０Ｄとが立面パネルＰを挟んで第１面１１ａ、２１ａ同士を対向近接して互いに磁力吸引することにより立面パネルＰを自己保持することにより移動不能になり、第２永久磁石部２０Ｄに付設される係止部１８Ｄにより被係止物Ｗを係止するようになっている。第１永久磁石部１０Ｄは第２の実施の形態の第１永久磁石部１０Ａと同一構造である。第１永久磁石部１０Ｄは、第１永久磁石本体１１Ｄと第２密着部材１２Ｄと第２磁石用磁束調整部１７Ｄと吸盤部１３Ｄと把手１４Ｄを有する。第２永久磁石部２０Ｄは、第２永久磁石本体２１Ｄと第２密着部材２２Ｄと第２磁石用磁束調整部２７Ｄと吸盤部２３Ｄと係止部１８Ｄを有する。第１永久磁石部１０Ｄと第２永久磁石部２０Ｄは、把手１４Ｄと係止部１８Ｄとが相違し、他は同一の構造である。また、係止部１８Ｄを含む第２永久磁石部２０Ｄは、第４の実施の形態の係止部１８Ｃを含む第２永久磁石部２０Ｃと同一構造である。被係止物Ｗは、第２永久磁石部２０Ｄと立面パネルＰに挟まれておらず、立面パネルＰから離れて係止部１８Ｄで第２永久磁石部２０Ｄに締結されている。
【００６５】
本願に係る技術思想は上述した実施形態に限られることなく、種々の代替、追加、変更等が可能である。たとえば、図６を用いて第２の実施の形態の変形例について説明したが、この思想は、同図（ｂ）、（ｃ）、（ｄ）に示した形態に替えて、非磁性体製品に穿設された、ネジ６７が貫通するネジ穴の周壁は、素材６３によって被覆されない形態（図示しない）であってもよい。同じく、図６Ｂ（ｂ）、（ｃ）、（ｄ）に示した形態に替えて、ネジが貫通するネジ穴の周壁が被覆材によって被覆されない形態（図示しない）であってもよい。
【００６６】
また、永久磁石部に係る永久磁石の形状は、たとえば図６に示す円柱状のものに限定されるわけではなく、直方体、三角柱を含む多角柱、角錐体など、種々の形態であってよく、いずれも本願に係る技術思想に包摂される。
【００６７】
さらに、上述した吸盤タイプについては、吸盤状のもの（吸盤状体）を後付けで付加した形態であっても、あるいは、吸盤状体と被覆体とが一体化されて形成される構造体の形態であってもよい。この前者の場合には、さらに、吸盤状体が任意に取り外し可能な形態であってもよい。さらにまた、吸盤状体に加えて／替えて、たとえば粘着テープもしくはこれと同等の機能を発揮できるもの（たとえば、下地材の微細構造と係合する微細構造を表面に備えた材など）を用いることであってもよい。
【産業上の利用可能性】
【００６８】
本発明によれば、第１永久磁石部と第２永久磁石部とを非磁性材質の立面パネルの両側に対向させ、磁石同士の磁気吸引を用いて立面パネルを移動不能に挟持状態とになり、一方または両方の永久磁石部で立面パネルとの間に非磁性材質の被係止物を挟んだ状態に保持するか、または被係止物を一方または両方の設けた係止具により非磁性材質の被係止物を係止する構造であるので、接着剤、ネジ止め、クリップなど挟み具を用いずに、非磁性材質の立面パネルに非磁性材質の被係止物を取り付けることが実現できるという効果を有するので、例えばガラス、アクリル、木材、ステンレスなど磁石が吸着しない非磁性材質の立面パネルに適用でき、滑り落ち難い、ズレ難い、後から取り付け位置の変更が自由に可能になる。
【００６９】
また、非磁性体への取り付けばかりでなく、非磁性体素材の接合の仮止めや位置決めにも応用でき、ホルダーやラックやフックなどの固定用、懸架用被係止物にも使用することができる。本取付具の応用範囲は広く、サビない構造のマグネット部を備えることから一般的な事務所や家庭での使用以外に、建物外の水場環境下の、扉や窓や壁、浴室、水槽内などにも利用できる。さらに、一般家具付帯用品、建設業、装飾品への利用などのインテリア産業等各種産業で幅広い利用の可能性がある。
【符号の説明】
【００７０】
１、１Ａ〜１Ｄ  非磁性体用取付具
１０、１０Ａ〜１０Ｄ  第１永久磁石部
１１  第１磁石本体
１１Ｂ  第１磁石本体
１１Ａ  第１永久磁石本体
１１Ｃ  第１永久磁石本体
１１ａ  第１面
１２、１２Ａ〜１２Ｃ  第１密着部材
１３、１３Ａ、１３Ａ１、１３Ａ２、１３Ａ３、１３Ｂ、１３Ｄ  吸盤部
１４、１４Ｂ  把手
１５ａ  ボルト通し孔
１５ｂ  円形凹部
１６、１６Ｂ  固定ねじ
１７Ｂ、１７Ｃ  第１磁石用磁束調整部
１８Ｃ、１８Ｄ  係止部
１８ａ  ボルト
１８ｂ  ナット
１９  ボルト通し孔
２０、２０Ａ〜２０Ｄ  第２永久磁石部
２１、２１Ａ  第２磁石本体
２１ａ  第１面
２１Ｂ、２１Ｃ  第２永久磁石本体
２２、２２Ａ、２２Ｂ、２２Ｃ  第２密着部材
２３Ｄ  吸盤部
２７Ｂ、２７Ｃ  第２磁石用磁束調整部
３０  水槽（立面パネル）
３１  観賞魚用餌箱（被係止物）
３２  引き戸ガラス（立面パネル）
３３  植木鉢（被係止物）
３４  位置
Ｍ  作業者
Ｐ  立面パネル
Ｗ  被係止物
【図１】
2020195566.tif 000003
【図２】
2020195566.tif 000004
【図２Ａ】
2020195566.tif 000005
【図２Ｂ】
2020195566.tif 000006
【図２Ｃ】
2020195566.tif 000007
【図３】
2020195566.tif 000008
【図４Ａ】
2020195566.tif 000009
【図４Ｂ】
2020195566.tif 000010
【図４Ｃ】
2020195566.tif 000011
【図４Ｄ】
2020195566.tif 000012
【図４Ｅ】
2020195566.tif 000013
【図５】
2020195566.tif 000014
【図６】
2020195566.tif 000015
【図６Ａ】
2020195566.tif 000016
【図６Ｂ】
2020195566.tif 000017
【図７】
2020195566.tif 000018
【図８】
2020195566.tif 000019
【図９】
2020195566.tif 000020
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
非磁性体立面の第１の取付面に対向する第１の面を有しＮ極及び／もしくはＳ極が特定の配置形態で配置されてなる第１の永久磁石が第１の摩擦係数を有する第１の被覆材で少なくとも前記第１の面を含む略全面に亘って被覆されてなる第１の永久磁石部と、
前記第１の取付面と略並行する第２の取付面に対向する第２の面を有しＳ極及び／もしくはＮ極が前記特定の配置形態とは逆磁性を持った配置形態で配置されてなる第２の永久磁石が第２の摩擦係数を有する第２の被覆材で少なくとも前記第２の面を含む略全面に亘って被覆されてなる第２の永久磁石部とを備え、
前記第１の被覆材及び／もしくは前記第２の被覆材が、それぞれの取付面に密着して真空吸着する吸盤部を形成し、
前記吸盤部により前記第１の永久磁石部もしくは前記第２の永久磁石部を前記非磁性体立面へ吸着係止させた後に前記第１の永久磁石と前記第２の永久磁石との間の磁気吸着力により前記第１の永久磁石部と前記第２の永久磁石部とを前記非磁性体立面を介して移動不能に自己保持させる機構と
を備えたことを特徴とする非磁性体用取付具。
【請求項２】
前記第１の取付面は非磁性体である立面パネルの一方の面であり、前記第２の取付面は前記立面パネルの他方の面である、請求項１記載の非磁性体用取付具。
【請求項３】
前記第１の取付面は非磁性体である第１の立面パネルの一方の面であり、前記第２の取付面は前記第１の立面パネルと背合わせに配置される第２の立面パネルの他方の面である、請求項１記載の非磁性体用取付具。
【請求項４】
前記特定の配置形態は、前記第１の面側にＮ極が配置され、前記第２の面側にＳ極が配置されるものである、請求項１〜３のうちいずれか１項記載の非磁性体用取付具。
【請求項５】
前記特定の配置形態は、前記第１の永久磁石部の略上部側にＮ極、略下部側にＳ極が配置され、前記第２の永久磁石部の略上部側にＳ極、略下部側にＮ極が配置されるものである、請求項１〜３のうちいずれか１項記載の非磁性体用取付具。
【請求項６】
前記特定の配置形態は、前記第１の永久磁石部の少なくとも前記第１の面側においてＮ極、Ｓ極、Ｎ極、Ｓ極、…が一定間隔で配置され、前記第２の永久磁石部の少なくとも前記第２の面側の前記前記第１の面側Ｎ極、Ｓ極、Ｎ極、Ｓ極、…のそれぞれに対応する位置においてＳ極、Ｎ極、Ｓ極、Ｎ極、…が前記一定間隔で配置されるものである、請求項１〜３のうちいずれか１項記載の非磁性体用取付具。
【請求項７】
前記第１永久磁石部と前記第２永久磁石部とが前記第１の面及び前記第２の面を挟んで対向近接して互いに磁力吸引することにより自己保持することにより移動不能性を備え、
前記第１永久磁石部及び前記第２永久磁石部のいずれか一方または両方が、被係止物を前記第１の面及び／もしくは前記第２の面の前記磁力吸引側とは逆側に係止するための係止部をさらに備えることを特徴とする請求項１〜６のうちいずれか１項記載の非磁性体用取付具。
【請求項８】
前記第１の永久磁石部及び／もしくは前記第２の永久磁石部は、該永久磁石部に隣接して配置される磁束調整部を更に備え、
前記第１の被覆材及び／もしくは前記第２の被覆材は、前記永久磁石部及び前記磁束調整部の略全面を覆うものである
ことを特徴とする請求項１〜６のうちいずれか１項記載の非磁性体用取付具。
【請求項９】
前記係止部は、係止ねじを有し、前記係止ねじで前記被係止物を前記係止部が付設された前記第１永久磁石部または前記第２永久磁石部に係止する
ことを特徴とする請求項７記載の非磁性体用取付具。
【請求項１０】
前記第１永久磁石部及び／もしくは前記第２永久磁石部に付設される係止部は、前記被係止物を吊り下げるフックまたはクランプである
ことを特徴とする請求項７記載の非磁性体用取付具。
【請求項１１】
前記第１永久磁石部には貫通孔が設けられ、
前記第１の被覆材は前記貫通孔の内部は被覆しないことを特徴とする請求項１記載の非磁性体用取り付け具。
【請求項１２】
前記第１の永久磁石部の前記第１面と対向する面側に前記貫通孔に挿入されるべき結合材の突出部を収容する窪みを有し、
前記第１の被覆材は前記窪みを被覆する
ことを特徴とする請求項１１記載の非磁性体用取り付け具。
【請求項１３】
前記第１の被膜部及び／もしくは前記第２の被覆部の一部が突出して真空吸着構造を形成することを特徴とする請求項１〜１２のうちいずれか１項記載の非磁性体用取り付け具。
【請求項１４】
前記真空吸着構造は前記第１の永久磁石部及び／もしくは前記第２の永久磁石部の外辺に広く突出している構造であることを特徴とする請求項１３記載の非磁性体用取り付け具。
【手続補正２】
【補正対象書類名】明細書
【補正対象項目名】００１４
【補正方法】変更
【補正の内容】
【００１４】
本発明の第６の態様に係る非磁性体用取付具として、本発明の第１〜第３の態様に係る非磁性体用取付具において、前記特定の配置形態は、前記第１の永久磁石部の少なくとも前記第１の面側においてＮ極、Ｓ極、Ｎ極、Ｓ極、…が一定間隔で配置され、前記第２の永久磁石部の少なくとも前記第２の面側の前記第１の面側Ｎ極、Ｓ極、Ｎ極、Ｓ極、…のそれぞれに対応する位置においてＳ極、Ｎ極、Ｓ極、Ｎ極、…が前記一定間隔で配置されるものである構成としてもよい。
【手続補正３】
【補正対象書類名】明細書
【補正対象項目名】００３４
【補正方法】変更
【補正の内容】
【００３４】
第１密着部材１２および第２密着部材２２は、第１永久磁石部１０または第２永久磁石部２０に対する被覆部材であり、永久磁石本体が立面パネルＰと誤って衝突してしまったときに、永久磁石本体および／または立面パネルＰが衝撃で割れたり、永久磁石本体に錆びを生じたりすることを回避する役目を有する。第１密着部材１２と第２密着部材２２は、図１ではそれぞれ第１磁石本体１１または第２磁石本体２１の全体を被覆しているが、少なくとも第１面１１ａまたは第１面２１ａをそれぞれ被覆していればよい。なお、被係止物Ｗは、第２永久磁石部２０が宛がわれる部位に第２永久磁石部２０よりもわずかに大きい凹部を設けるか、または、第２永久磁石部２０の第１面２１ａに両面粘着テープを貼着するのが好ましい。
【手続補正４】
【補正対象書類名】明細書
【補正対象項目名】００３７
【補正方法】変更
【補正の内容】
【００３７】
第１永久磁石部１０と第２永久磁石部２０の同時取り付けは一人ではできない。そこで、先に、ガラス製ショーウインド３１の内面部（立面パネルＰの一方の面部）に第１永久磁石部１０を両面接着剤（不図示）を介して宛がわれ、次いで、ガラス製ショーウインド３１の外面部（立面パネルＰの他方の面部）にパンフレット収納ボックス３２が重ねられ、かつパンフレット収納ボックス３２の立面パネルＰに重なる側の内側面部に第２永久磁石部２０が第１永久磁石部１０と対向するように宛がわれ、もって、第１永久磁石部１０と第２永久磁石部２０が互いに磁力吸引してガラス製ショーウインド３１（立面パネルＰ）を自己保持することにより移動不能になり、第２永久磁石部２０がガラス製ショーウインド３１との間にパンフレット収納ボックス３２を挟んだ状態に係止する。この場合、第１永久磁石部１０は、ガラス製ショーウインド３１に当接するが、軟質性材料製の第１密着部材１２で被覆されているので、ガラス製ショーウインド３１に滑らないように密着しかつガラス製ショーウインド３１を傷つける恐れがない。
【手続補正５】
【補正対象書類名】明細書
【補正対象項目名】００４９
【補正方法】変更
【補正の内容】
【００４９】
図５は、建物内の仕切り壁に設けられた引き戸ガラス３５（立面パネルＰ）と、引き戸ガラス３５に係止される被係止物Ｗとしてのプラスチック製の軽量小型の植木鉢３６とが示されている。図５では、第１永久磁石部１０Ａと第２永久磁石部２０Ａの同時取り付けは一人ではできない。すなわち、事前に第２永久磁石部２０Ａが植木鉢３６の内面に両面粘着剤を介して取り付けられ、作業者Ｍが片手で植木鉢３６を掴み引き戸ガラス３５の外面の２点鎖線で示す位置３４に位置すると同時に、他方の手で第１永久磁石部１０Ａを引き戸ガラス３５の内面の２点鎖線で示す位置３４に対向して位置させることは距離的にできない。しかし、第２の実施の形態の非磁性体用取付具１Ａは、第１永久磁石部１０Ａが吸盤部１３を有する構成であるので、先に、第１永久磁石部１０Ａを引き戸ガラス３５の内面の２点鎖線で示す位置３４に吸着係止させることができ、後から、第２永久磁石部２０Ａを内面に貼着した植木鉢３６を引き戸ガラス３５の外面の２点鎖線で示す位置３４に密着させるよう位置させる。これにより、第１永久磁石部１０Ａと第２永久磁石部２０Ａは、互いに磁力吸引して移動不能に自己保持し、かつ第２永久磁石部２０Ａが植木鉢３６を引き戸ガラス３５の外面に係止することができる。植木鉢３６の取り外しは、吸盤部１３で引き戸ガラス３５に吸着している第１密着部材１２Ａよりも先に行うことができる。
【手続補正６】
【補正対象書類名】明細書
【補正対象項目名】００５０
【補正方法】変更
【補正の内容】
【００５０】
換言すると、取り付け者は、窓ガラスを挟んで一方の手にパンフレット入れを持ち、他方の手に本実施形態に係る非磁性体用取り付け具を持ち、望みの位置に両者を磁気吸着させる。しかし、手が届く位置に付ける場合には、たとえば本発明の第１の実施形態に係る非磁性体用取り付け具を両手に持って取り付けることができる。しかし、手が届かない位置に取り付ける場合には、窓の両側に人を配置し、それぞれたとえば非磁性体用取り付け具を持ち、位置を合わせて取り付ける必要がある（図示しない）。この場合に、さらに別の態様として、図５のガラス窓の位置の一方側にたとえば本発明の実施態様に係る非磁性体用取り付け具（図４Ｂ等）を吸着仮付けし、ガラス窓の反対側に回ってパンフレット入れをこれに対向する位置に磁気吸着するとすれば、たった一人であっても取付動作をスムーズに完了することができる。このように、本発明の実施態様に係る非磁性体用取り付け具は、図５に示した場合のように、非磁性体材質同士の取り付け時の一方の仮止めに大変便利である。この場合、さらに、ガラス窓の一方側と反対側との双方に非磁性体用取り付け具を用いて吸着仮止め状態にしておけばさらに作業効率は向上する。
【手続補正７】
【補正対象書類名】明細書
【補正対象項目名】００５９
【補正方法】変更
【補正の内容】
【００５９】
第３の実施の形態では、第１永久磁石部１０Ｂの磁束を多く集めて強い磁力を有する第１磁石用磁束調整部１７Ｂと、第２永久磁石部２０Ｂの磁束を多く集めて強い磁力を有する第２磁石用磁束調整部２７Ｂとが、第１および第２の実施の形態の場合における磁力吸引に比べてより大きい磁力で吸引することにより立面パネルＰに対し移動不能に挟持して、第２永久磁石部２０Ｂで被係止物Ｗを立面パネルＰとの間に挟んだ状態に係止するようになっている。このため、重量が第１および第２の実施の形態の場合に比べてより大きい被係止物Ｗを係止できる。
【手続補正８】
【補正対象書類名】明細書
【補正対象項目名】００６３
【補正方法】変更
【補正の内容】
【００６３】
（第４の実施の形態の変形例）
第４の実施の形態の係止部１８は、ねじの締結具に替えて、被係止物Ｗを吊り下げるフックまたは被係止物Ｗを吊り下げるクランプであってもよい（図示しない）。
【手続補正９】
【補正対象書類名】明細書
【補正対象項目名】００６８
【補正方法】変更
【補正の内容】
【００６８】
本発明によれば、第１永久磁石部と第２永久磁石部とを非磁性材質の立面パネルの両側に対向させ、磁石同士の磁気吸引を用いて立面パネルを移動不能に挟持状態となり、一方または両方の永久磁石部で立面パネルとの間に非磁性材質の被係止物を挟んだ状態に保持するか、または被係止物を一方または両方に設けた係止具により非磁性材質の被係止物を係止する構造であるので、接着剤、ネジ止め、クリップなど挟み具を用いずに、非磁性材質の立面パネルに非磁性材質の被係止物を取り付けることが実現できるという効果を有するので、例えばガラス、アクリル、木材、ステンレスなど磁石が吸着しない非磁性材質の立面パネルに適用でき、滑り落ち難い、ズレ難い、後から取り付け位置の変更が自由に可能になる。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
非磁性体立面の第１の取付面に対向する第１の面を有しＮ極及び／もしくはＳ極が特定の配置形態で配置されてなる第１の永久磁石が第１の摩擦係数を有する第１の被覆材で少なくとも前記第１の面を含む略全面に亘って被覆されてなる第１の永久磁石部と、
前記第１の取付面と略並行する第２の取付面に対向する第２の面を有しＳ極及び／もしくはＮ極が前記特定の配置形態とは逆磁性を持った配置形態で配置されてなる第２の永久磁石が第２の摩擦係数を有する第２の被覆材で少なくとも前記第２の面を含む略全面に亘って被覆されてなる第２の永久磁石部とを備え、
前記第１の被覆材及び／もしくは前記第２の被覆材が、それぞれの取付面に密着して真空吸着する吸盤部を形成し、
前記吸盤部により前記第１の永久磁石部もしくは前記第２の永久磁石部を前記非磁性体立面へ吸着係止させた後に前記第１の永久磁石が前記第１の被覆材を介して前記第１の取付面に当接し前記第２の永久磁石が前記第２の被覆材を介して前記第２の取付面に当接することで前記第１の永久磁石と前記第２の永久磁石との間の磁気吸着力により前記第１の永久磁石部と前記第２の永久磁石部とを前記非磁性体立面を介して移動不能に自己保持させる機構と
を備えたことを特徴とする非磁性体用取付具。
【請求項２】
前記第１の取付面は非磁性体である立面パネルの一方の面であり、前記第２の取付面は前記立面パネルの他方の面である、請求項１記載の非磁性体用取付具。
【請求項３】
前記第１の取付面は非磁性体である第１の立面パネルの一方の面であり、前記第２の取付面は前記第１の立面パネルと背合わせに配置される第２の立面パネルの他方の面である、請求項１記載の非磁性体用取付具。
【請求項４】
前記特定の配置形態は、前記第１の面側にＮ極が配置され、前記第２の面側にＳ極が配置されるものである、請求項１〜３のうちいずれか１項記載の非磁性体用取付具。
【請求項５】
前記特定の配置形態は、前記第１の永久磁石部の略上部側にＮ極、略下部側にＳ極が配置され、前記第２の永久磁石部の略上部側にＳ極、略下部側にＮ極が配置されるものである、請求項１〜３のうちいずれか１項記載の非磁性体用取付具。
【請求項６】
前記特定の配置形態は、前記第１の永久磁石部の少なくとも前記第１の面側においてＮ極、Ｓ極、Ｎ極、Ｓ極、…が一定間隔で配置され、前記第２の永久磁石部の少なくとも前記第２の面側の前記前記第１の面側Ｎ極、Ｓ極、Ｎ極、Ｓ極、…のそれぞれに対応する位置においてＳ極、Ｎ極、Ｓ極、Ｎ極、…が前記一定間隔で配置されるものである、請求項１〜３のうちいずれか１項記載の非磁性体用取付具。
【請求項７】
前記第１永久磁石部と前記第２永久磁石部とが前記第１の面及び前記第２の面を挟んで対向近接して互いに磁力吸引することにより自己保持することにより移動不能性を備え、
前記第１永久磁石部及び前記第２永久磁石部のいずれか一方または両方が、被係止物を前記第１の面及び／もしくは前記第２の面の前記磁力吸引側とは逆側に係止するための係止部をさらに備えることを特徴とする請求項１〜６のうちいずれか１項記載の非磁性体用取付具。
【請求項８】
前記係止部は、係止ねじを有し、前記係止ねじで前記被係止物を前記係止部が付設された前記第１永久磁石部または前記第２永久磁石部に係止する
ことを特徴とする請求項７記載の非磁性体用取付具。
【請求項９】
前記第１永久磁石部及び／もしくは前記第２永久磁石部に付設される係止部は、前記被係止物を吊り下げるフックまたはクランプである
ことを特徴とする請求項７記載の非磁性体用取付具。
【請求項１０】
前記第１永久磁石部には貫通孔が設けられ、
前記第１の被覆材は前記貫通孔の内部は被覆しないことを特徴とする請求項１記載の非磁性体用取り付け具。
【請求項１１】
前記第１の永久磁石部の前記第１面と対向する面側に前記貫通孔に挿入されるべき結合材の突出部を収容する窪みを有し、
前記第１の被覆材は前記窪みを被覆する
ことを特徴とする請求項１０記載の非磁性体用取り付け具。
【請求項１２】
前記第１の被膜部及び／もしくは前記第２の被覆部の一部が突出して真空吸着構造を形成することを特徴とする請求項１〜１１のうちいずれか１項記載の非磁性体用取り付け具。
【請求項１３】
前記真空吸着構造は前記第１の永久磁石部及び／もしくは前記第２の永久磁石部の外辺に広く突出している構造であることを特徴とする請求項１２記載の非磁性体用取り付け具。